【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
デジタル放送の受信が可能な端末機のデジタル放送プログラム情報の表示装置であって、
放送チャンネルガイド情報を受信するデジタル放送受信部と、
前記受信された放送チャンネルガイド情報を保存するメモリーと、
前記メモリーに保存された前記放送チャンネルガイド情報に基づいてプログラム情報を生成する制御部と、
前記制御部で生成されたプログラム情報を背景画面に表示する表示部と、
を含むことを特徴とするデジタル放送プログラム情報の表示装置。
【請求項２】
前記制御部は、一定周期ごとに現在の放送プログラムが終了する時間になったか否かをチェックして、終了する時間になったら、前記保存された放送チャンネルガイド情報に基づいて新たに開始するプログラムに該当するプログラム情報を、リアルタイムで生成して前記背景画面に表示されるように制御することを特徴とする請求項１に記載のデジタル放送プログラム情報の表示装置。
【請求項３】
前記制御部は、前記背景画面に表示されたプログラム情報が一定方向にスクロールされるように制御することを特徴とする請求項１に記載のデジタル放送プログラム情報の表示装置。
【請求項４】
少なくとも一つ以上の前記プログラム情報が前記背景画面の全体あるいは一部領域に表示されることを特徴とする請求項１に記載のデジタル放送プログラム情報の表示装置。
【請求項５】
前記方向は、左右あるいは上下方向であることを特徴とする請求項３に記載のデジタル放送プログラム情報の表示装置。
【請求項６】
前記少なくとも一つ以上のプログラム情報は、ユーザーが予め登録した少なくとも一つ以上の選好チャンネルのプログラム情報であることを特徴とする請求項４に記載のデジタル放送プログラム情報の表示装置。
【請求項７】
所定周期で動作するタイマーをさらに具備し、
前記制御部は、前記周期ごとに各選好チャンネルの現在の放送プログラムが終了する時間になったか否かをチェックして、終了する時間になったら、前記保存された放送チャンネルガイド情報に基づいて新たに開始するプログラムに該当するプログラム情報を、リアルタイムで生成して前記背景画面に表示されるように制御することを特徴とする請求項６に記載のデジタル放送プログラム情報の表示装置。
【請求項８】
前記プログラム情報は、前記背景画面のテキストスライド領域に表示されることを特徴とする請求項１に記載のデジタル放送プログラム情報の表示装置。
【請求項９】
前記制御部は、フォンモジュールと、マルチメディアモジュールと、を含み、
前記フォンモジュールは、前記マルチメディアモジュールから伝達を受けたプログラム情報が前記表示部の画面の中でテキストスライド領域に表示されるように制御することを特徴とする請求項１に記載のデジタル放送プログラム情報の表示装置。 
【請求項１０】
前記制御部がＭＰ３プレーヤー機能を制御することを特徴とする請求項１に記載のデジタル放送プログラム情報の表示装置。 
【請求項１１】
前記制御部がデジタルビデオディスクプレーヤー機能を制御することを特徴とする請求項１に記載のデジタル放送プログラム情報の表示装置。
【請求項１２】
前記制御部がテレマティック機能を制御することを特徴とする請求項１に記載のデジタル放送プログラム情報の表示装置。 
【請求項１３】
前記表示部は、前記端末機の携帯電話機能関連情報を表示するための第１の表示部と、
前記デジタル放送プログラムを表示するための第２の表示部と、
を含んで構成されることを特徴とする請求項１に記載のデジタル放送プログラム情報の表示装置。
【請求項１４】
前記制御部は、フォルダの状態を感知してフォルダが開いている際に、前記プログラム情報が前記第２の表示部に表示されるように制御することを特徴とする請求項１３に記載のデジタル放送プログラム情報の表示装置。
【請求項１５】
前記制御部は、フォルダが閉じている際に、前記プログラム情報が前記第１の表示部の画面に表示されるように制御することを特徴とする請求項１３に記載のデジタル放送プログラム情報の表示装置。
【請求項１６】
表示部とデジタル放送受信部とを備えた移動通信端末機のデジタル放送プログラム情報の表示方法であって、
デジタル放送チャンネルガイド情報を受信してメモリーに保存する過程と、
前記保存された放送チャンネルガイド情報に基づいてプログラム情報を生成する過程と、
前記端末機が待機モードである際に、前記生成されたプログラム情報を前記表示部の背景画面に表示する過程と、
を含むことを特徴とするデジタル放送プログラム情報の表示方法。 
【請求項１７】
前記プログラム情報を表示した後に、ユーザーのチャンネル番号選択が感知されると、前記デジタル放送受信部を駆動して前記選択されたチャンネル番号に該当するデジタル放送プログラムを受信する過程をさらに含むことを特徴とする請求項１６に記載のデジタル放送プログラム情報の表示方法。
【請求項１８】
現在の放送プログラムが終了する時間になったか否かをチェックする過程と、
前記現在の放送プログラムが終了する時間になったら、前記保存された放送チャンネルガイド情報に基づいて新たに開始するプログラムに該当するプログラム情報を、リアルタイムで生成して前記背景画面に表示する過程をさらに含むことを特徴とする請求項１６に記載のデジタル放送プログラム情報の表示方法。
【請求項１９】
デジタルマルチメディア放送モードで少なくとも一つ以上の選好チャンネルを登録する過程をさらに含み、
前記端末機が待機モードである際に、前記表示部の背景画面に表示される少なくとも一つ以上のプログラム情報は、前記登録された選好チャンネルに該当する放送チャンネルガイド情報に基づいて生成したプログラム情報であることを特徴とする請求項１６に記載のデジタル放送プログラム情報の表示方法。
【請求項２０】
前記プログラム情報を一定周期ごとに一定方向にスクロールして表示する過程をさらに含むことを特徴とする請求項１６に記載のデジタル放送プログラム情報の表示方法。
【請求項２１】
前記プログラム情報が、前記背景画面のテキストスライド領域に表示される過程を含むことを特徴とする請求項１６に記載の方法。
【請求項２２】
前記プログラム情報が、ユーザーにより設定される所定の基準により生成されることを特徴とする請求項２１に記載の方法。 
【請求項２３】
第１の機能を制御する第１のモジュールと、前記第１の機能の実行による表示のための第１の表示部と、マルチメディア機能を制御する第２のモジュールと、前記マルチメディア機能の実行による表示のための第２の表示部と、を備え、デジタル放送の受信が可能な端末機のデジタル放送プログラム情報の表示方法であって、
前記第２のモジュールにより待機モードでプログラム情報表示機能が設定されているか否かをチェックする過程と、
プログラム情報表示機能が設定されている場合は、前記第２のモジュールにより、放送チャンネルガイド情報に基づいてプログラム情報を生成する過程と、
前記第２のモジュールによりフォルダの状態を感知する過程と、
フォルダのオープンが感知される場合、前記第２のモジュールにより、前記生成されたプログラム情報を前記第２の表示部の背景画面でテキストスライド領域に表示する過程と、
フォルダのオープンが感知されない場合、前記第２のモジュールにより、前記生成されたプログラム情報を前記第１のモジュールに送信する過程と、
第１のモジュールにより前記プログラム情報を受信して、これを第１の表示部の背景画面でテキストスライド領域に表示する過程と、
を含むことを特徴とする方法。
【請求項２４】
前記第１の表示部の背景画面でテキストスライド領域にプログラム情報を表示した後に、前記第１のモジュールがユーザーによるチャンネル番号の入力を感知すれば、フォルダオープン要求メッセージを前記第１の表示部の背景画面でテキストスライド領域に表示する過程と、
前記フォルダオープン要求メッセージを表示した後に、前記第１のモジュールがフォルダのオープンを感知すれば、入力されたチャンネル番号のデジタル放送を前記第２のモジュールに要求する過程と、
をさらに含むことを特徴とする請求項２３に記載の方法。
【請求項２５】
前記第１のモジュールは、携帯電話機能を制御するためのフォンモジュールであることを特徴とする請求項２３又は請求項２４に記載の方法。
【請求項２６】
前記第２の表示部の背景画面でテキストスライド領域にプログラム情報を表示した後に、前記第２のモジュールがユーザーによるチャンネル番号の入力を感知すれば、前記第２の表示部によるプログラム情報の表示を中止して前記第２の表示部に前記入力されたチャンネル番号のデジタル放送を表示する過程をさらに含むことを特徴とする請求項２３に記載の方法。
【請求項２７】
表示部と、デジタル放送受信部と、を備えた移動通信端末機のデジタル放送プログラム情報の表示方法であって、
デジタル放送チャンネルガイド情報を受信してメモリーに保存する過程と、
前記メモリーに保存された放送チャンネルガイド情報を検出して所定基準を満足するプログラム情報を生成する過程と、
前記端末機が待機モードである際に、前記生成されたプログラム情報を前記表示部の背景画面に表示する過程と、
を含むことを特徴とする方法。
【請求項２８】
前記プログラム情報を表示した後に、ユーザーのチャンネル番号選択が感知されると、前記デジタル放送受信部を駆動する過程と、
前記デジタル放送受信部で前記選択されたチャンネル番号に該当するデジタル放送プログラムを受信して前記表示部に提供する過程と、
を含むことを特徴とする請求項２７に記載の方法。
【請求項２９】
前記端末機が待機モードである場合、プログラム情報表示機能が設定されているか否かをチェックする過程をさらに含むことを特徴とする請求項２７に記載の方法。
【請求項３０】
前記所定基準は、ユーザーにより設定される時間またはチャンネルであることを特徴とする請求項２７に記載の方法。
【請求項３１】
現在の放送プログラムが終了する時間になったか否かをチェックする過程と、
前記現在の放送プログラムが終了する時間になったら、前記保存された放送チャンネルガイド情報に基づいて新たに開始するプログラムに該当するプログラム情報を、リアルタイムで生成して前記背景画面に表示する過程をさらに含むことを特徴とする請求項２７に記載の方法。
【請求項３２】
デジタルマルチメディア放送モードで少なくとも一つ以上の選好チャンネルを登録する過程をさらに含み、
前記端末機が待機モードである際に、前記表示部の背景画面に表示される少なくとも一つ以上のプログラム情報は、前記登録された選好チャンネルに該当する放送チャンネルガイド情報に基づいて生成したプログラム情報であることを特徴とする請求項２７に記載の方法。
【請求項３３】
前記プログラム情報を一定周期ごとに上下あるいは左右方向にスクロールする過程をさらに含むことを特徴とする請求項２７に記載の方法。
【請求項３４】
デジタル放送受信を制御するデジタル放送モジュールと、
第１の機能を制御する第１のモジュールと、
前記第１の機能の実行によって表示するか、前記第１の機能の待機モードで前記デジタル放送の放送チャンネルガイド情報に基づいて前記デジタル放送のプログラム情報を背景画面に表示するための第１の表示部と、
第２の機能を制御する第２のモジュールと、
前記第２の機能の実行によって表示するか、前記第２の機能の待機モードで前記放送チャンネルガイド情報に基づいて前記デジタル放送のプログラム情報を背景画面に表示するか、前記デジタル放送のプログラムを表示するための第２の表示部と、
を含むことを特徴とする端末機。
【請求項３５】
前記第１の機能は携帯電話機能であり、前記第２の機能は個人携帯端末機機能であることを特徴とする請求項３４に記載の端末機。
【請求項３６】
前記デジタル放送は、デジタルマルチメディア放送であることを特徴とする請求項３４に記載の端末機。
【請求項３７】
前記制御部から生成されたプログラム情報が前記表示部の背景画面に表示される際に、前記端末機は待機モードであることを特徴とする請求項１に記載のデジタル放送プログラム情報の表示装置。
【請求項３８】
前記端末機が前記生成されたプログラム情報を前記表示部の背景画面に表示する過程は、前記端末機が待機モードである時に実施されることを特徴とする請求項１６又は請求項２７に記載の方法。
【請求項３９】
前記第２のモジュールによりプログラム情報表示機能が設定されているか否かをチェックする過程は、前記端末機が待機モードである時に実施されることを特徴とする請求項２３に記載の方法。
【請求項４０】
前記プログラム情報の表示過程で前記プログラム情報表示機能が設定されているか否かをチェックする過程は、前記端末機が待機モードである場合に実施されることを特徴とする請求項２９に記載の方法。
【請求項４１】
表示部とデジタル放送受信部とを備える移動通信端末機で、デジタル放送モードでない状態で、デジタル放送プログラム情報を表示する方法であって、
前記移動通信端末機のデジタル放送受信部を通じて放送プログラム情報を受信する過程と、
前記受信した放送プログラム情報を前記移動通信端末機のメモリに保存する過程と、
デジタル放送モードでない状態で、前記放送プログラム情報を前記表示部に表示する過程と、を含むことを特徴とする方法。
【請求項４２】
前記受信した放送プログラム情報をカスタマイズする過程と、
前記カスタマイズされた放送プログラム情報を前記表示部に表示する過程と、をさらに含むことを特徴とする請求項４１に記載の方法。
【請求項４３】
前記カスタマイズされた放送プログラム情報を前記表示部に表示する過程は、前記移動通信端末機のアイドルモードで、前記カスタマイズされた放送プログラム情報を前記表示部に表示する過程を含むことを特徴とする請求項４２に記載の方法。
【請求項４４】
前記カスタマイズされた放送プログラム情報を前記表示部に表示する過程は、前記移動通信端末機のデジタル放送モードで、前記カスタマイズされた放送プログラム情報を前記表示部に表示する過程を含むことを特徴とする請求項４２に記載の方法。
【請求項４５】
前記放送プログラム情報は、予め定められた基準に基づいてカスタマイズされることを特徴とする請求項４２に記載の方法。
【請求項４６】
前記予め定められた基準は、ユーザーにより設定されることを特徴とする請求項４５に記載の方法。
【請求項４７】
前記移動通信端末機のメモリから読み出したカスタマイズされた放送プログラム情報を表示する間、前記デジタル放送受信部が駆動されないことを特徴とする請求項４２に記載の方法。
【請求項４８】
前記予め定められた時間の間、キーを押すことによって、前記デジタル放送プログラム情報のチャンネルを選択する過程をさらに含むことを特徴とする請求項４１に記載の方法。
【請求項４９】
表示部とデジタル放送受信部とを備える移動通信端末機で、デジタル放送モードでない状態で、デジタル放送プログラム情報を表示する方法であって、
前記移動通信端末機のデジタル放送受信部を通じて放送プログラム情報を受信する過程と、
前記受信した放送プログラム情報を前記移動通信端末機のメモリに保存する過程と、
デジタル放送モードでない状態で、前記放送プログラム情報を前記表示部に表示する過程と、
ユーザーが前記表示された放送プログラム情報から放送プログラムを選択すると、前記デジタル放送受信部を駆動する過程と、を含むことを特徴とする方法。
【請求項５０】
前記受信した放送プログラム情報をカスタマイズする過程と、
前記カスタマイズされた放送プログラム情報を前記表示部に表示する過程と、をさらに含むことを特徴とする請求項４９に記載の方法。
【請求項５１】
前記カスタマイズされた放送プログラム情報を前記表示部に表示する過程は、前記移動通信端末機のアイドルモードで、前記カスタマイズされた放送プログラム情報を前記表示部に表示する過程を含むことを特徴とする請求項５０に記載の方法。
【請求項５２】
前記カスタマイズされた放送プログラム情報を前記表示部に表示する過程は、前記移動通信端末機のデジタル放送モードで、前記カスタマイズされた放送プログラム情報を前記表示部に表示する過程を含むことを特徴とする請求項５０に記載の方法。
【請求項５３】
前記放送プログラム情報は、予め定められた基準に基づいてカスタマイズされることを特徴とする請求項５０に記載の方法。
【請求項５４】
前記予め定められた基準は、ユーザーにより設定されることを特徴とする請求項５３に記載の方法。
【請求項５５】
前記移動通信端末機のメモリから読み出したカスタマイズされた放送プログラム情報を表示する間、前記デジタル放送受信部が駆動されないことを特徴とする請求項５０に記載の方法。
【請求項５６】
前記予め定められた時間の間、キーを押すことによって前記デジタル放送を選択する過程をさらに含むことを特徴とする請求項４９に記載の方法。
【請求項５７】
移動通信装置に設けられて、デジタル放送モードでない状態で、デジタル放送プログラム情報を表示する装置であって、
前記デジタル放送プログラム情報を受信するためのデジタル放送受信部と、
受信された放送プログラム情報を保存するためのメモリと、
デジタル放送モードでない状態で、前記放送プログラム情報を表示するための表示部と、
前記放送プログラム情報をカスタマイズするための制御部と、を含むことを特徴とする装置。
【請求項５８】
前記表示部は、前記移動通信装置のアイドルモードで、前記カスタマイズされた放送プログラム情報を表示することを特徴とする請求項５７に記載の装置。
【請求項５９】
前記表示部は、前記移動通信装置のデジタル放送モードで、前記カスタマイズされた放送プログラム情報を前記表示部に表示することを特徴とする請求項５７に記載の装置。
【請求項６０】
前記放送プログラム情報は、予め定められた基準に基づいてカスタマイズされることを特徴とする請求項５７に記載の装置。
【請求項６１】
前記予め定められた基準は、ユーザーにより設定されることを特徴とする請求項６０に記載の装置。
【請求項６２】
前記移動通信装置の前記メモリに貯蔵された前記カスタマイズされた放送プログラム情報が表示される間、前記デジタル放送受信部は駆動されないことを特徴とする請求項５７に記載の装置。
【請求項６３】
前記デジタル放送プログラムのチャンネルは、予め定められた時間の間、所定のキーを押すことによって選択されることを特徴とする請求項５７に記載の装置。
【請求項６４】
ポケット型移動通信装置に設けられ、デジタル放送モードでない状態で、デジタル放送プログラム情報を表示する装置であって、
前記放送プログラム情報を受信するためのデジタル放送受信部と、
前記受信された放送プログラム情報を保存するためのメモリと、
前記ポケット型移動通信装置のアイドルモードで背景画面に前記放送プログラム情報を表示するための表示部と、
ユーザーが前記放送プログラム情報から放送プログラムを選択すると、前記デジタル放送受信部を駆動するための制御部と、を含むことを特徴とする装置。
【請求項６５】
前記制御部は、前記ユーザーが前記受信された放送プログラム情報をカスタマイズするように許容し、前記カスタマイズされた放送プログラム情報を表示部に表示するように制御することを特徴とする請求項６４に記載の装置。
【請求項６６】
前記表示部は、前記移動通信装置のディジタル放送モードで、前記カスタマイズされた放送プログラム情報を前記表示部に表示することを特徴とする請求項６５に記載の装置。
【請求項６７】
前記放送プログラム情報は、予め定められた基準に基づいてカスタマイズされることを特徴とする請求項６５に記載の装置。
【請求項６８】
前記予め定められた基準は、ユーザーにより設定されることを特徴とする請求項６７に記載の装置。
【請求項６９】
前記移動通信装置の前記メモリに貯蔵された前記カスタマイズされた放送プログラム情報が表示される間、前記デジタル放送受信部は駆動されないことを特徴とする請求項６４に記載の装置。
【請求項７０】
前記デジタル放送プログラムのチャンネルは、予め定められた時間の間、所定のキーを押すことによって選択されることを特徴とする請求項６４に記載の装置。
【請求項７１】
前記制御部は、前記ユーザーが前記カスタマイズされた放送プログラム情報を前記ポケット型移動通信装置の背景画面で選択することを許容することを特徴とする請求項６４に記載の装置。